(57)【特許請求の範囲】
【請求項１】
車両のロール角（θ）およびロール角速度（ω）をパラメータとする二次元マップ上に敷居値ライン（Ｓ）を設定し、車両の実際のロール角（θ）およびロール角速度（ω）の履歴ラインが前記敷居値ライン（Ｓ）を原点側から反原点側に横切ったときに車両が横転する可能性が有ると判定する車両の横転判定方法において、
前記二次元マップはロール角（θ）の正負およびロール角速度（ω）の正負を組み合わせた４つの象限を備えており、前記履歴ラインが少なくとも３つの象限に跨がり、かつ前記履歴ラインの原点からの距離が増加するときに前記敷居値ライン（Ｓ）を原点側に移動させることを特徴とする車両の横転判定方法。
【請求項２】
前記敷居値ライン（Ｓ）の移動量は、前記履歴ラインの原点からの距離の増加率の大きさに応じて設定されることを特徴とする、請求項１に記載の車両の横転判定方法。
【発明の詳細な説明】
【０００１】
【発明の属する技術分野】
本発明は、車両のロール角およびロール角速度に基づいて該車両が横転する可能性の有無を判定するための方法に関する。
【０００２】
【従来の技術】
車両のロール角およびロール角速度をパラメータとする二次元マップ上で、ロール角およびロール角速度が大きいところ（原点から離れた領域）に横転領域を設定するとともに、ロール角およびロール角速度が小さいところ（原点を含む領域）に非横転領域を設定し、センサで検出した実際のロール角およびロール角速度をマップ上にプロットした履歴ラインが前記非横転領域から前記横転領域に入ったとき、車両が横転する可能性が有ると判定してアクティブロールバーを起立させるものが、特開平７−１６４９８５号公報により公知である。
【０００３】
【発明が解決しようとする課題】
ところで、ステアリングホイールを左に操作すると車両は右に傾き、ステアリングホイールを右に操作すると車両は左に傾くため、左右のレーンチェンジを続けて行う場合やＳ字路を通過する場合に車両が左右に交互に傾くことになる。このとき、ステアリングホイールの操作の周波数が車両のサスペンションの固有振動の周波数に接近していると、車両のロール角が共振により発散して横転に至り易くなる可能性がある。
【０００４】
本発明は前述の事情に鑑みてなされたもので、車両のロール角およびロール角速度に基づいて該車両が横転する可能性の有無を判定する際に、その判定精度を更に向上させることを目的とする。
【０００５】
【課題を解決するための手段】
上記目的を達成するために、請求項１に記載された発明によれば、車両のロール角およびロール角速度をパラメータとする二次元マップ上に敷居値ラインを設定し、車両の実際のロール角およびロール角速度の履歴ラインが前記敷居値ラインを原点側から反原点側に横切ったときに車両が横転する可能性が有ると判定する車両の横転判定方法において、前記二次元マップはロール角の正負およびロール角速度の正負を組み合わせた４つの象限を備えており、前記履歴ラインが少なくとも３つの象限に跨がり、かつ前記履歴ラインの原点からの距離が増加するときに前記敷居値ラインを原点側に移動させることを特徴とする車両の横転判定方法が提案される。
【０００６】
上記構成によれば、履歴ラインが少なくとも３つの象限に跨がり、かつ履歴ラインの原点からの距離が増加するときに敷居値ラインが原点側に移動するので、車両のロール角が共振により発散して横転が発生し易い状態になると、履歴ラインが敷居値ラインを原点側から反原点側に横切り易くして横転可能性有りの判定を早めに行うことができる。
【０００７】
また請求項２に記載された発明によれば、請求項１の構成に加えて、前記敷居値ラインの移動量は、前記履歴ラインの原点からの距離の増加率の大きさに応じて設定されることを特徴とする車両の横転判定方法が提案される。
【０００８】
【発明の実施の形態】
以下、本発明の実施の形態を、添付図面に示した本発明の実施例に基づいて説明する。
図１〜図７は本発明の一実施例を示すもので、図１は車両の横転の種類を示す図、図２はロール角θおよびロール角速度ωと車両の横転可能性との関係を説明する図、図３は車両の横転可能性の有無を判定するためのマップ、図４はインフレータブルカーテンの制御系のブロック図、図５は横加速度Ｇｙからロール角θの初期値θ0 を算出する手法の説明図、図６は敷居値ラインの移動を示す図、図７は作用を説明するフローチャートである。  図１は車両の横転の種類を原因別に分類して示すものである。車両の横転の種類は、横転に至る過程における車両挙動に応じて「単純回転」、「単純回転＋横速度」および「発散」に分類され、「単純回転」型の横転は、更に「フリップオーバー」、「クライムオーバー」および「フォールオーバー」に細分類される。「単純回転＋横速度」型の横転の代表的なものは「トリップオーバー」と呼ばれ、また「発散」型の横転の代表的なものは「ターンオーバー」と呼ばれる。
【０００９】
「フリップオーバー」は、車両の左右一方の車輪が障害物に乗り上げて発生する横転である。「クライムオーバー」は、底部を障害物に乗り上げてタイヤが路面から浮き上がった車両が側方に倒れて発生する横転である。「フォールオーバー」は、車両の左右一方の車輪が路肩を踏み外して発生する横転である。「トリップオーバー」は、車両が横滑りして左右一方のタイヤが縁石等に衝突したときに、この縁石を支点とするロールモーメントにより発生する横転である。「ターンオーバー」は、ダブルレーンチェンジやトリプルレーンチェンジを行うべく、あるいはＳ字路を通過すべくステアリングホイールを左右に交互に操作したような場合に、そのステアリングホイールの操作の周波数が車両のサスペンションの固有振動の周波数に接近していると、車両のロール角が共振により発散して発生する横転である。
【００１０】
図２は車両の横転可能性を判定するための二次元マップの一部（第１象限）を示すもので、縦軸のロール角θは正値（原点の上側）が右ロール角に対応し、横軸のロール角速度ωは正値（原点の右側）が右ロール角速度に対応する。この二次元マップには右下がりの直線よりなる敷居値ラインＳが設定されており、敷居値ラインＳの原点側、つまりロール角θおよびロール角速度ωが小さい領域が非横転領域とされ、敷居値ラインＳの反原点側、つまりロール角θおよびロール角速度ωが大きい領域が横転領域とされる。そして車両の実際のロール角θおよびロール角速度ωの履歴ラインＨ1 〜Ｈ3 が敷居値ラインＳを原点側の非横転領域から反原点側の横転領域に横切ると、車両の横転可能性が有ると判定される。
【００１１】
履歴ラインＨ1 は、ロール角θおよびロール角速度ωが共に０の状態（原点）から、ロール角速度ωを０に保持したままロール角θだけをゆっくりと増加させた場合であり、敷居値ラインＳが縦軸と交わる切片であるａ点においてロール角θが臨界ロール角θCRT に達したときに車両の横転可能性が有ると判定される。このときローリングの支点となるロール方向外側のタイヤを通る鉛直線上に車両の重心位置ＣＧがあり、この状態が車両の横転についての静的な安定限界となる。臨界ロール角θCRT の値は車両の形状や積載状態によって異なるが、一般的に５０°程度である。
【００１２】
尚、ロール角θが０であっても、大きいロール角速度ωが作用していれば車両が横転する可能性がある。このときのロール角速度ωを臨界ロール角速度ωCRT とする。
【００１３】
車両がロール角θの方向と同方向のロール角速度ωを持つ場合には、このロール角速度ωによって横転が助長されるため、ロール角θが臨界ロール角θCRT より小さい状態であっても横転が発生することになる。例えば、ロール角θおよびロール角速度ωの履歴ラインがＨ2 で示される場合、履歴ラインＨ2 が敷居値ラインＳを原点側から反原点側に横切るｂ点において車両の横転可能性が有ると判定される。このときのロール角θは前記臨界ロール角θCRT よりも小さい値となる。
【００１４】
またロール角θおよびロール角速度ωの履歴ラインがＨ3 で示される場合には、正値のロール角速度ωが速やかに増加から減少に転じ、更に負値へと移行するために履歴ラインＨ3 が敷居値ラインＳを横切ることがなく、従って車両の横転可能性が無いと判定される。
【００１５】
図３は車両の横転可能性を判定するための二次元マップの全体を示すものである。２本の敷居値ラインＳ，Ｓは第１象限および第３象限に設定されており、それらの敷居値ラインＳ，Ｓは原点を中心とする点対称である。ロール角θが正でロール角速度ωが負である第２象限と、ロール角θが負でロール角速度ωが正である第４象限とに横転領域が設定されていないのは、ロール角θの方向と逆方向のロール角速度ωが発生している状態では車両の横転が発生しないからである。
【００１６】
図３には、図１で説明した種々の横転の種類に対応するロール角θおよびロール角速度ωの履歴ラインＨ4 〜Ｈ8 が示される。
【００１７】
履歴ラインＨ4 は、「フリップオーバー」、「クライムオーバー」、「フォールオーバー」等の「単純回転」型の横転に対応するもので、ロール角θの絶対値およびロール角速度ωの絶対値が単純に増加して横転に至っている。
【００１８】
履歴ラインＨ5 は、「トリップオーバー」と呼ばれる「単純回転＋横速度」型の横転に対応するもので、車両が横滑りする過程でタイヤが縁石等に衝突して発生するロールモーメントによりロール角速度ωが急激に増加して横転に至っている。
【００１９】
履歴ラインＨ6 ，Ｈ7 は、「ターンオーバー」と呼ばれる「発散」型の横転に対応するものである。履歴ラインＨ6 はダブルレーンチェンジでの横転を示すもので、最初のレーンチェンジで右にロールした車両が次のレーンチェンジで左にロールする過程でロール角θの絶対値が発散し、第３象限の敷居値ラインＳを越えて横転に至っている。履歴ラインＨ7 はトリプルレーンチェンジでの横転を示すもので、最初のレーンチェンジで右にロールした車両が次のレーンチェンジで左にロールし、続くレーンチェンジで再度右にロールする過程でロール角θの絶対値が発散し、第１象限の敷居値ラインＳを越えて横転に至っている。
【００２０】
履歴ラインＨ8 は、敷居値ラインＳを越える前にロール角θが原点に向かって収束するので、この場合には車両が横転に至ることはない。
【００２１】
図４は、車両の横転時に乗員拘束用のインフレータブルカーテンを車室の内側面に沿って展開するための制御系を示すものである。
【００２２】
バッテリ１１および接地部１２間に、インフレータブルカーテンを展開するための高圧ガスを発生するインフレータ１３と、点火トランジスタ１４とが直列に接続される。電子制御ユニットＵからの指令で点火トランジスタ１４がＯＮするとインフレータ１３が点火して高圧ガスが発生し、この高圧ガスの供給を受けたインフレータブルカーテンが車室の内側面に沿って展開する。車両の横転可能性の有無を判定すべく、電子制御ユニットＵには、車体左右方向の加速度である横加速度Ｇｙを検出する横加速度センサ１５からの信号と、車両のロール角速度ωを検出するロール角速度センサ１６からの信号とが入力される。
【００２３】
図５に示すように、車体に固定した横加速度センサ１５はイグニッションスイッチをＯＮしたときの横加速度Ｇｙを出力する。イグニッションスイッチをＯＮしたとき車両は停止状態にあるため、車両の旋回に伴う遠心力に起因する横加速度を検出することなく、重力加速度Ｇの車体左右方向の成分だけを横加速度Ｇｙとして検出する。従って、前記横加速度Ｇｙを用いて、車両のロール角θの初期値θ0 を、θ0 ＝sin -1Ｇｙにより算出することができる。
【００２４】
以上のようにしてイグニッションスイッチをＯＮしたときの横加速度センサ１５の出力に基づいて車両のロール角θの初期値θ0 が算出されると、この初期値θ0 にロール角θの変動分を加算することにより車両のロール角θが算出される。即ち、イグニッションスイッチをＯＮした時点から、ロール角速度センサ１６が出力するロール角速度ωの積分値∫ωｄｔをロール角θの変動分として前記初期値θ0 に加算することにより、車両のロール角θが算出される。
【００２５】
横加速度センサ１５は、車両の自由落下時には横加速度Ｇｙを検出できず、また車両の旋回に伴う遠心力に起因する横加速度を、重力加速度Ｇの車体左右方向の成分である横加速度Ｇｙと識別できずに誤検出してしまうというデメリットを持つが、この横加速度センサ１５が出力する横加速度ＧｙをイグニッションスイッチをＯＮした時点での車両のロール角θの初期値θ0 の算出にだけ使用し、その後の車両のロール角θの算出にはロール角速度センサ１６が出力するロール角速度ωの積分値∫ωｄｔを使用することにより、上記デメリットを解消して正確なロール角θを算出することができる。
【００２６】
而して、上述のようにして算出した車両のロール角θと、ロール角速度センサ１６が出力するロール角速度ωとが成す座標点の軌跡である履歴ラインを図６に示すマップ上に描き、その履歴ラインが敷居値ラインＳ，Ｓを原点側から反原点側に横切ったときに、車両が横転する可能性が有ると判定し、点火トランジスタ１４をＯＮしてインフレータブルカーテンのインフレータ１３を点火する。
【００２７】
ところで、ダブルレーンチェンジを行うべくステアリングホイールを左→右の順で交互に操作したり、トリプルレーンチェンジを行うべくステアリングホイールを左→右→左の順で交互に操作したりすると、ロール角θおよびロール角速度ωの履歴ラインは原点を中心とする左回りの渦巻き状となる。このとき、ステアリングホイールの操作の周波数が車両のサスペンションの固有振動の周波数に接近していると、車両のロール角θが共振により発散して履歴ラインの原点からの距離が次第に増加する。従って、ダブルレーンチェンジで前記共振が発生すると、履歴ラインは第１象限および第２象限を経て第３象限において敷居値ラインＳと交差し（図３の履歴ラインＨ6 参照）、トリプルレーンチェンジで前記共振が発生すると、履歴ラインは第１象限〜第４象限を経て第１象限において敷居値ラインＳと交差する（図３の履歴ラインＨ7 参照）。
【００２８】
このように履歴ラインが少なくとも連続する３つの象限を通り、その間に履歴ラインの原点からの距離が次第に増加する場合には、ロール角θの発散現象による車両の横転が発生し易い状況にあると判断し、図６に矢印Ａで示すように、敷居値ラインＳ，Ｓを原点に接近する方向に移動させる。その結果、ロール角θおよびロール角速度ωの履歴ラインが敷居値ラインＳ，Ｓを横切り易くなり、ロール角θの発散現象を考慮した一層正確な横転可能性の判定を行うことが可能となる。そして敷居値ラインＳ，Ｓの移動量は、検出された履歴ラインの原点からの距離の増加率の大きさに応じて設定される。
【００２９】
上記作用を図６および図７に基づいて更に説明する。
【００３０】
先ず、ステップＳ１で横加速度Ｇｙおよびロール角速度ωを読み込み、ステップＳ２で横加速度Ｇｙに応じてマップ上の敷居値ラインＳ，Ｓを確定する。敷居値ラインＳ，Ｓは、マップの縦軸の切片である臨界ロール角θCRT と横軸の切片である臨界ロール角速度ωCRT とが決まれば確定する。本実施例では横加速度Ｇｙによって車両の横転が助長されるとき、臨界ロール角θCRT および臨界ロール角速度ωCRT が共に減少して敷居値ラインＳ，Ｓが原点に近づくように設定される。
【００３１】
臨界ロール角θCRT および臨界ロール角速度ωCRT が決まると、敷居値ラインＳ，Ｓの方程式は、
θ＝−（θCRT ／ωCRT ）ω±θCRT 
で与えられる（図３参照）。
【００３２】
続くステップＳ３でロール角θの発散が発生しているか否かを判定する。即ち、ロール角θおよびロール角速度ωの履歴ラインが連続する３つの象限を跨いで移動し、かつその間に履歴ラインの原点からの距離が増加していればロール角θの発散が発生していると判定し、続くステップＳ４において、前記ステップＳ２で確定した敷居値ラインＳ，Ｓを更に原点に近づく方向に移動させる。具体的には、前記臨界ロール角θCRT をαだけ減少させて新たな臨界ロール角θCRT を設定し、臨界ロール角速度ωCRT をβだけ減少させて新たな臨界ロール角速度ωCRT を設定することにより、新たな敷居値ラインＳ，Ｓを設定する。
【００３３】
続いて、現在のロール角θ1 およびロール角速度ω1 の成す座標点Ｐが横転領域にあるか非横転領域にあるかを判定する。即ち、ステップＳ５で、上記敷居値ラインＳの方程式のωに現在のロール角速度ω1 の値を代入して判定値θ2 を算出する。判定値θ2 は直線ω＝ω1 と敷居値ラインＳとの交点Ｑのθ座標である。続くステップＳ６で、判定値θ2 と現在のロール角θ1 とを比較し、｜θ2 ｜＜｜θ1 ｜が成立していれば、ステップＳ７で現在のロール角θ1 およびロール角速度ω1 の成す座標点Ｐが横転領域にあると判定され、｜θ2 ｜＜｜θ1 ｜が成立しなければ、ステップＳ８で現在のロール角θ1 およびロール角速度ω1 の成す座標点Ｐが非横転領域にあると判定される。図６には、座標点Ｐが横転領域にある場合（｜θ2 ｜＜｜θ1 ｜）が示されている。
【００３４】
以上、本発明の実施例を説明したが、本発明はその要旨を逸脱しない範囲で種々の設計変更を行うことが可能である。
【００３５】
例えば、実施例では車両の横転可能性の有無の判定をインフレータブルカーテンの展開制御に適用しているが、それをサイドエアバッグの展開制御や格納式ロールバーの展開制御等の他の用途に適用することができる。また車両のロール角θの初期値θ0 を、重力加速度Ｇの車体上下方向の成分である上下加速度Ｇｚを用いて、θ0 ＝cos -1Ｇｚにより算出することができる。
【００３６】
【発明の効果】
以上のように請求項１に記載された発明によれば、履歴ラインが少なくとも３つの象限に跨がり、かつ履歴ラインの原点からの距離が増加するときに敷居値ラインが原点側に移動するので、車両のロール角が共振により発散して横転が発生し易い状態になると、履歴ラインが敷居値ラインを原点側から反原点側に横切り易くして横転可能性有りの判定を早めに行うことができる。
【図面の簡単な説明】
【図１】  車両の横転の種類を示す図
【図２】  ロール角θおよびロール角速度ωと車両の横転可能性との関係を説明する図
【図３】  車両の横転可能性の有無を判定するためのマップ
【図４】  インフレータブルカーテンの制御系のブロック図
【図５】  横加速度Ｇｙからロール角θの初期値θ0 を算出する手法の説明図
【図６】  敷居値ラインの移動を示す図
【図７】  作用を説明するフローチャート
【符号の説明】
Ｓ          敷居値ライン
θ          ロール角
ω          ロール角速度
【図１】
0003715146.tif 000002
【図２】
0003715146.tif 000003
【図３】
0003715146.tif 000004
【図４】
0003715146.tif 000005
【図５】
0003715146.tif 000006
【図６】
0003715146.tif 000007
【図７】
0003715146.tif 000008